(57)【要約】【課題】扉体の前面側を表示領域として有効活用できるうえに、多様な表示体に対応できるとともに表示体の交換にも容易に対応できる自動販売機を提供する。【解決手段】自動販売機10は、自動販売機本体14、自動販売機本体14の前面に設けられた扉体16、および扉体16の前面に取り付けられた覆い体12を備える。覆い体12は、扉体16の前面を覆う透明部材28を有し、透明部材28と扉体16の前面との間に表示体30を配置する。【選択図】図１
2014081802.tif 000002
【特許請求の範囲】
【請求項１】
自動販売機本体と、
前記自動販売機本体の前面に設けられた扉体と、
前記扉体の前面を覆う透明部材を有し、前記扉体の前面と前記透明部材との間に表示体を配置する覆い体と
を具備していることを特徴とする自動販売機。
【請求項２】
前記覆い体は、前記扉体の前面を開放して前記扉体の前面側から前記表示体を着脱可能とする
ことを特徴とする請求項１記載の自動販売機。
【請求項３】
前記覆い体は、前記扉体に対して支軸を中心に開閉可能に取り付けられている
ことを特徴とする請求項２記載の自動販売機。
【請求項４】
前記覆い体を前記扉体に施錠する施錠機構を具備している
ことを特徴とする請求項３記載の自動販売機。
【請求項５】
前記覆い体は、前記扉体の前面に着脱可能に取り付けられている
ことを特徴とする請求項２記載の自動販売機。
【請求項６】
前記扉体は、前記扉体の内側から前記扉体の前面と前記覆い体との間に前記表示体を着脱可能とする着脱用開口部を有している
ことを特徴とする請求項１記載の自動販売機。
【請求項７】
前記扉体は、商品見本展示部およびこの商品見本展示部の前面に配置される窓板を有し、
前記覆い体の前記透明部材は、前記窓板のうちの未使用領域の前面との間に前記表示体を配置する窓板覆い部を有する
ことを特徴とする請求項１ないし５いずれか一記載の自動販売機。
【請求項８】
前記窓板に選択ボタンが配置される複数の選択ボタン用孔が設けられ、前記未使用領域の選択ボタン用孔にはこの選択ボタン用孔を閉塞するキャップが取り付けられている
ことを特徴とする請求項７記載の自動販売機。
【請求項９】
前記扉体と前記覆い体との間に介在される防水部材を具備している
ことを特徴とする請求項１ないし８いずれか一記載の自動販売機。
【発明の詳細な説明】
【技術分野】
【０００１】
本発明は、扉体の前面に表示体を配置する自動販売機に関する。
【背景技術】
【０００２】
従来、自動販売機の扉体の前面には、複数個の商品見本が展示される商品見本展示部、利用者が商品を購入するために操作する操作部、および商品が払い出される商品取出口などが設けられるが、それ以外にも広い空きスペースを有している。
【０００３】
そして、扉体の前面の空きスペースの一部に透明部材を配置し、この透明部材の後方である扉体の内側に広告用のポスターを配置し、扉体の内側に配置された電照装置でポスターを照明するようにした自動販売機がある。
【０００４】
また、扉体の前面側に広告や装飾などの表示を行うことにより、扉体の前面の空きスペースを有効利用して訴求効果を高めるようにした自動販売機がある。この自動販売機では、扉体の前面の空きスペースの一部に、広告や装飾が施された表示体を直接取り付けたり直接貼り付け（例えば、特許文献１および２参照。）、あるいは、扉体の前面の空きスペースの全域に、広告や装飾を施した表示体を直接貼り付けている（例えば、特許文献３参照。）。
【先行技術文献】
【特許文献】
【０００５】
【特許文献１】特許第３８３５０７２号公報
【特許文献２】特許第４５９２６５１号公報
【特許文献３】特開２０１２−３２９０５号公報
【発明の概要】
【発明が解決しようとする課題】
【０００６】
従来、自動販売機の扉体の前面側に広告や装飾などの表示を行う場合、広告や装飾が施されている表示体自体を扉体の前面に直接取り付けたり直接貼り付ける構造になっているため、例えば一般的なポスターなどは利用できず、特別に作成した表示体を用いる必要があり、表示体自体が高価になるとともに、表示体の交換に技術を要して専門業者でないと表示体の交換が容易にできない問題がある。
【０００７】
本発明は、このような点に鑑みなされたもので、扉体の前面側を表示領域として有効活用できるうえに、多様な表示体に対応できるとともに表示体の交換にも容易に対応できる自動販売機を提供することを目的とする。
【課題を解決するための手段】
【０００８】
請求項１記載の自動販売機は、自動販売機本体と、前記自動販売機本体の前面に設けられた扉体と、前記扉体の前面を覆う透明部材を有し、前記扉体の前面と前記透明部材との間に表示体を配置する覆い体とを具備しているものである。
【０００９】
請求項２記載の自動販売機は、請求項１記載の自動販売機において、前記覆い体は、前記扉体の前面を開放して前記扉体の前面側から前記表示体を着脱可能とするものである。
【００１０】
請求項３記載の自動販売機は、請求項２記載の自動販売機において、前記覆い体は、前記扉体に対して支軸を中心に開閉可能に取り付けられているものである。
【００１１】
請求項４記載の自動販売機は、請求項３記載の自動販売機において、前記覆い体を前記扉体に施錠する施錠機構を具備しているものである。
【００１２】
請求項５記載の自動販売機は、請求項２記載の自動販売機において、前記覆い体は、前記扉体の前面に着脱可能に取り付けられているものである。
【００１３】
請求項６記載の自動販売機は、請求項１記載の自動販売機において、前記扉体は、前記扉体の内側から前記扉体の前面と前記覆い体との間に前記表示体を着脱可能とする着脱用開口部を有しているものである。
【００１４】
請求項７記載の自動販売機は、請求項１ないし５いずれか一記載の自動販売機において、前記扉体は、商品見本展示部およびこの商品見本展示部の前面に配置される窓板を有し、前記覆い体の前記透明部材は、前記窓板のうちの未使用領域の前面との間に前記表示体を配置する窓板覆い部を有するものである。
【００１５】
請求項８記載の自動販売機は、請求項７記載の自動販売機において、前記窓板に選択ボタンが配置される複数の選択ボタン用孔が設けられ、前記未使用領域の選択ボタン用孔にはこの選択ボタン用孔を閉塞するキャップが取り付けられているものである。
【００１６】
請求項９記載の自動販売機は、請求項１ないし８いずれか一記載の自動販売機において、前記扉体と前記覆い体との間に介在される防水部材を具備しているものである。
【発明の効果】
【００１７】
請求項１記載の自動販売機によれば、扉体の前面に取り付ける覆い体によって扉体の前面との間に表示体を配置できるため、扉体の前面側を表示領域として有効活用できるうえに、特別な表示体が必要なく、安価に作成できるものも含めて多様な表示体に対応できるとともに、表示体の交換にも容易に対応できる。
【００１８】
請求項２記載の自動販売機によれば、請求項１記載の自動販売機の効果に加えて、覆い体が扉体の前面を開放して扉体の前面側から表示体を着脱可能とすることにより、扉体を開けずに、扉体の外側で表示体の交換作業を行うことができ、表示体の交換作業を容易にできるとともに防犯性にも有利にできる。
【００１９】
請求項３記載の自動販売機によれば、請求項２記載の自動販売機の効果に加えて、覆い体を、扉体に対して支軸を中心に開閉可能に取り付けることにより、表示体の交換作業を容易にできる。
【００２０】
請求項４記載の自動販売機によれば、請求項３記載の自動販売機の効果に加えて、施錠機構により覆い体を扉体に施錠することにより、表示体の盗難を防止できる。
【００２１】
請求項５記載の自動販売機によれば、請求項２記載の自動販売機の効果に加えて、覆い体を扉体の前面に着脱可能とすることにより、表示体の交換作業を容易にできる。
【００２２】
請求項６記載の自動販売機によれば、請求項１記載の自動販売機の効果に加えて、扉体の着脱用開口部により、扉体の前面と覆い体との間に表示体を着脱可能することができる。
【００２３】
請求項７記載の自動販売機によれば、請求項１ないし５いずれか一記載の自動販売機の効果に加えて、覆い体の透明部材が、窓板のうちの未使用領域の前面との間に表示体を配置する窓板覆い部を有することにより、商品見本展示部および窓板の未使用部分を表示体で覆うことができるため、商品見本の展示領域を変更する場合でも、商品見本展示部および窓板に共通の部品を使用することができ、扉体構造の共通化を図ることができる。
【００２４】
請求項８記載の自動販売機によれば、請求項７記載の自動販売機の効果に加えて、未使用領域の選択ボタン用孔に、この選択ボタン用孔を閉塞するキャップを取り付けることにより、未使用領域の選択ボタンを排除できるとともに、選択ボタン用孔から窓板の内側に雨水などが侵入するのを防止できる。
【００２５】
請求項９記載の自動販売機によれば、請求項１ないし８いずれか一記載の自動販売機の効果に加えて、扉体と覆い体との間に防水部材を介在することにより、扉体と覆い体との間への雨水などの侵入を防止し、表示体などが濡れるのを防止できる。
【図面の簡単な説明】
【００２６】
【図１】本発明の第１の実施の形態を示す自動販売機の扉体から覆い体を離した状態の斜視図である。
【図２】同上覆い体の分解状態の斜視図である。
【図３】同上覆い体の組立構造を示し、(a)は側面から見た分解状態の断面図、(b)は側面から見た組立状態の断面図である。
【図４】同上覆い体の開閉構造を示し、(a)は覆い体を閉じた状態の平面側から見た断面図、(b)は覆い体を開いた状態の平面側から見た断面図である。
【図５】同上覆い体の施錠機構の平面側から見た断面図である。
【図６】第２の実施の形態の自動販売機の覆い体の開閉構造を示し、(a)は覆い体を閉じた状態の平面側から見た断面図、(b)は覆い体を開いた状態の平面側から見た断面図である。
【図７】第３の実施の形態を示す自動販売機の扉体および覆い体の分解状態の斜視図である。
【図８】同上覆い体の組立構造を示し、(a)は分解状態の断面図、(b)は組立状態の断面図である。
【図９】第４の実施の形態を示す自動販売機の扉体および覆い体の分解状態の斜視図である。
【図１０】同上覆い体の組立構造を示す分解状態の断面図である。
【図１１】第５の実施の形態を示す自動販売機の窓板にキャップを装着した状態の断面図である。
【図１２】同上キャップの斜視図である。
【図１３】同上自動販売機において、(a)(b)に異なる商品見本数を展示する自動販売機の正面図である。
【図１４】第６の実施の形態を示す自動販売機の扉体および覆い体の分解状態の斜視図である。
【図１５】同上扉体および覆い体の組立状態の斜視図である。
【図１６】同上覆い体の組立構造を示し、(a)は分解状態の断面図、(b)は組立状態の断面図である。
【図１７】同上覆い体の組立構造を示し、(a)は分解状態の断面図、(b)は組立状態の断面図である。
【発明を実施するための形態】
【００２７】
以下、本発明の第１の実施の形態を、図１ないし図５を参照して説明する。
【００２８】
図１に示すように、自動販売機10は、機体11、および機体11の前面に配置される覆い体12を備えている。
【００２９】
機体11は、前面が開口された箱形の自動販売機本体14、およびこの自動販売機本体14の前面に一側の扉軸15（図４参照）を支点として開閉可能に設けられた扉体16を備えている。
【００３０】
自動販売機本体14内には、複数種類の商品を収納する複数の商品収納部、および各商品収納部から商品を１つずつ投出する商品投出部などが配置されている。
【００３１】
扉体16には、商品見本展示部18およびこの商品見本展示部18の前面を覆う透明な窓板19が設置され、窓板19の一側方に成人識別部、紙幣投入口、硬貨投入口、返却レバーなどを含む操作部20が設置され、扉体16の下部に商品を払い出す商品払出口21、釣銭硬貨あるいは返却硬貨を払い出す返却口22が設置されている。また、扉体16の前面側の両側角部には面取り部24が形成されている。なお、以下、操作部20、商品払出口21および返却口22を含めて商品の購入者が操作する領域を操作領域23と呼ぶ。
【００３２】
商品見本展示部18には、上下方向に複数段の展示棚があり、各展示棚に複数の商品見本が展示されている。商品見本展示部18の背面側には、夜間などの周囲が暗い場合に商品見本を背面側から照明する電照装置が配置されている。また、窓板19には、各展示棚に展示する各商品見本の位置に対応して購入商品を選択する複数の選択ボタン（第１の実施の形態では図示を省略するが、例えば図７に示す第３の実施の形態のように設けられている）が取り付けられている。
【００３３】
また、図１および図２に示すように、覆い体12は、ベース体27、このベース体27の背面側に嵌め込まれる透明部材28、ベース体27の背面側に透明部材28を押える押え部材29、透明部材28の背面側に配置される表示体30、および透明部材28の背面側に表示体30を保持する保持部材31を備えている。
【００３４】
ベース体27は、例えば板金に塗装を施したもので、扉体16の前面の外形形状に対応した四角形枠状に形成され、内側が窓部33が開口された前面枠部34、および前面枠部34の周囲から背面側に折曲された周面枠部35を備えている。
【００３５】
透明部材28は、例えば透明なアクリル板が用いられ、扉体16の前面の外形形状に対応した大きさであって扉体16の前面全体を覆うことが可能な外形寸法に形成され、扉体16の前面の窓板19および各操作領域23の位置に対応して操作用開口部36がそれぞれ形成されている。
【００３６】
押え部材29は、上下、左右に分割され、それぞれ断面略Ｌ字形に形成され、ベース体27の周面枠部35の内側に配置されて透明部材28の周辺部をベース体27の前面枠部34との間に挟持可能とされている。
【００３７】
表示体30は、例えば、紙などの素材の表面に広告や装飾などが印刷されたポスターが用いられている。表示体30は、ベース体27の内側に配置可能であるとともに窓部33の大きさより大きい外形寸法に形成され、扉体16の前面の窓板19および各操作領域23の位置に対応して操作用開口部36が形成されている。
【００３８】
保持部材31は、平板状に形成され、ベース体27の内側に配置されて表示体30の上側辺を透明部材28との間に挟み込んで保持可能とされている。保持部材31には、表示体30に接触して透明部材28に押し付ける例えばゴムなどの弾性体38が取り付けられている。
【００３９】
図３に覆い体12の組立構造を示し、ベース体27の前面枠部34の各辺の背面から複数のボルト40が突設されている。ベース体27の上辺においては、ボルト40に透明部材28の挿通孔28A、押え部材29の挿通孔29Aおよび保持部材31の挿通孔31Aを挿通してナット41が螺合され、ベース体27に透明部材28、押え部材29および保持部材31が共締め固定されている。また、ベース体27の上辺以外の下辺および左右辺では、ボルト40に透明部材28および押え部材29が挿通されてナット41が螺合され、ベース体27に透明部材28および押え部材29が共締め固定されている。
【００４０】
図１および図４に示すように、覆い体12の一側は、扉体16の一側に対して上下２箇所のヒンジ43によって開閉可能に取り付けられている。ヒンジ43の一方のヒンジ部材44が扉体16の一側の面取り部24にねじ止め固定され、他方のヒンジ部材45がベース体27の一側の内側部に取り付けられ、これらヒンジ部材44，45が支軸46によって回動可能に連結されている。この場合、覆い体12の回動支点となる支軸46は、扉体16の扉軸15とは別の位置に配置されている。
【００４１】
図１および図２に示すように、覆い体12の他側は、例えば上下２箇所の複数の施錠機構48によって扉体16に閉じた状態で施錠される。図５に示すように、施錠機構48は、扉体16の他側の面取り部24に受金具49が取り付けられ、ベース体27にキーによって回動操作する錠体50およびこの錠体50の回動操作に伴って受金具49に係脱する施錠片51を備えている。なお、ベース体27には、扉体16の他側の面取り部24とともに施錠機構48を覆うカバー部27aが形成されている。
【００４２】
次に、自動販売機10の作用を説明する。
【００４３】
表示体30を装着する場合には、キーで施錠機構48を操作して覆い体12を扉体16から解錠し、覆い体12を一側の支軸46を支点として開放回動させる。このとき、図４に示すように、支軸46を扉体16の扉軸15とは別の場所に配置するとともにその場所を適切に設定することにより、覆い体12を略９０°開いた状態で、覆い体12が扉体16の側面から突出しないようにでき、あるいはあまり突出しないようにでき、自動販売機10の側方に障害物53があっても、覆い体12を開放することができる。
【００４４】
図３に示すように、保持部材31を止めているナット41を緩め、透明部材28の背面と保持部材31との間に表示体30の上端を差し込んだ後、ナット41を締め付け、透明部材28の背面と保持部材31の弾性体38との間に表示体30の上端を挟み込む。上端が保持された表示体30は、透明部材28の背面側に沿って吊り下げ状態に配置される。
【００４５】
覆い体12を閉じ、キーで施錠機構48を操作して覆い体12を扉体16に施錠する。
【００４６】
また、表示体30を交換する場合には、上述のように覆い体12を開いてナット41を緩め、覆い体12に今まで配置されていた表示体30を外して新しく配置する表示体30に付け替え、上述のようにナット41を締め付けて覆い体12を閉じればよい。
【００４７】
また、扉体16を開く場合には、扉軸15を支点として扉体16を開放回動することにより、扉体16と一体に覆い体12が開放回動する。
【００４８】
そして、透明部材28の操作用開口部36および表示体30の操作用開口部37を通じて、窓板19から商品見本展示部18の商品見本を確認し、成人識別、貨幣投入、商品選択などで購入操作し、商品払出口21に払い出される商品を取り出すことができる。
【００４９】
このように構成された自動販売機10では、扉体16の前面に取り付ける覆い体12によって扉体16の前面との間に表示体30を配置できるため、扉体16の前面側の広い領域を表示領域として有効活用できるうえに、特別な表示体を用いる必要がなく、例えば紙に印刷したポスターなどの安価に作成できるものも含めて多様な表示体30に対応できるとともに、表示体30の交換にも容易に対応できる。
【００５０】
しかも、例えばアクリル板で構成される透明部材28で窓板19や各操作領域23の部分を除く扉体16の前面が全体的に覆われ、この透明部材28と扉体16の前面との間に表示体30が配置されるため、透明部材28によって扉体16の前面や表示体30の表示に光沢感、高級感が演出され、高い表示品質を得ることができる。
【００５１】
また、覆い体12が扉体16の前面を開放して扉体16の前面側から表示体30を着脱可能とすることにより、扉体16を開けずに、扉体16の外側で表示体30の交換作業を行うことができ、表示体30の交換作業を容易にできるとともに防犯性にも有利にできる。
【００５２】
特に、覆い体12を、扉体16に対して支軸46を中心に開閉可能に取り付けていることにより、１人でも覆い体12に対する表示体30の交換作業を容易にできる。
【００５３】
さらに、施錠機構48により覆い体12を扉体16に施錠することにより、表示体30の盗難を防止できる。
【００５４】
なお、覆い体12の背面側に電照装置を配置し、夜間などの周囲が暗い場合に表示体30を背面側から照明するようにしてもよい。
【００５５】
また、覆い体12と扉体16との間に、防水およびがたつき防止のためのパッキングを介在してもよい。
【００５６】
次に、図６に第２の実施の形態を示す。なお、第１の実施の形態と同一構成および作用効果は、同一符号を用いてその説明を省略する。
【００５７】
第１の実施の形態では、覆い体12の支軸46が扉体16の扉軸15とは別の位置に配置したが、第２の実施の形態では、覆い体12の支軸を扉体16の扉軸15を同じ位置として共用している。
【００５８】
この場合、覆い体12を開くと、覆い体12が扉体16より側方に突出するため、扉体16と障害物53との間に覆い体12が開くための隙間を必要とするが、覆い体12の支軸を扉体16の扉軸15と共用できることで、部品点数を削減して構造を簡単にできる。
【００５９】
次に、図７および図８に第３の実施の形態を示す。なお、前記実施の形態と同一構成および作用効果は、同一符号を用いてその説明を省略する。
【００６０】
扉体16の窓板19は、操作部20を除く扉体16の上辺近傍から商品払出口21および返却口22の近傍までの広い範囲に設置されており、操作部20の側方領域に対応して複数の選択ボタン55が取り付けられている。窓板19の後方に配設されている商品見本展示部18には、複数の選択ボタン55に対応して複数の商品見本が展示され、複数の商品見本が展示された展示領域18aより上部および下部に電照用スペース56が形成されている。商品見本展示部18には、夜間などの周囲が暗い場合に商品見本展示部18を照明する電照装置が配置されている。
【００６１】
また、覆い体12は、複数に分割された透明部材28、およびこれら各透明部材28を扉体16の前面に取り付ける複数のねじ57を備えている。
【００６２】
透明部材28は、扉体16の上部領域を覆う透明部材28a、下部領域を覆う透明部材28b、操作部20の領域を覆う透明部材28c、および窓板19の複数の選択ボタン55が配置される領域の両側領域を覆う透明部材28d，28eに分割され、それぞれが複数のねじ57によって扉体16の前面に着脱可能に締め付け固定される。
【００６３】
表示体30は、扉体16の前面の上部領域および下部領域に配置される上下の表示体30a，30bが用いられている。上下の表示体30a，30bは、上下の透明部材28a，28bと扉体16の前面との間に挟み込まれて配置される。これら上下の表示体30a，30bの少なくとも一部が窓板19の前面を覆って配置されている。
【００６４】
また、ねじ57は、一般的な工具ではなく、特定の工具でのみ操作可能な特殊ねじを用いることが好ましいが、一般的なねじを使用してもよい。そして、図８に示すように、ねじ57を透明部材28の挿通孔28Aおよび表示体30の挿通孔30Aに挿通して扉体16内に設置されているナット58に螺合することにより、扉体16に透明部材28および表示体30が共締め固定されている。
【００６５】
そして、表示体30を交換する場合には、透明部材28a，28bを止めているねじ57を外し、透明部材28a，28bとともに今まで配置されていた表示体30a，30bを外し、新たに配置する表示体30a，30bを介して透明部材28a，28bをねじ57で扉体16の前面に取り付ける。
【００６６】
このよう構成された自動販売機10では、覆い体12の透明部材28を扉体16の前面に着脱可能とすることにより、表示体30の交換作業を容易にできる。
【００６７】
この実施の形態の自動販売機10においても、例えばアクリル板で構成される透明部材28で窓板19の選択ボタン55の設置領域や各操作領域23の部分を除く扉体16の前面が全体的に覆われ、この透明部材28と扉体16の前面との間に表示体30が配置されるため、透明部材28によって扉体16の前面や表示体30の表示に光沢感、高級感が演出され、高い表示品質を得ることができる。
【００６８】
また、表示体30a，30bが窓板19の前面側に配置されているため、夜間などの周囲が暗い場合に商品見本展示部18の電照装置によって商品見本を照明する際に、電照用スペース56から窓板19を通過する光で表示体30a，30bを照明することができる。
【００６９】
また、扉体16の前面の各領域に対応して透明部材28を複数に分割しているため、着脱する透明部材28の大きさが小さく、表示体30の交換に必要な透明部材28のみを着脱すればよく、１人でも表示体30の交換作業を容易にできる。
【００７０】
なお、透明部材28と扉体16との間に、防水およびがたつき防止のためのパッキングを介在してもよい。
【００７１】
次に、図９および図１０に第４の実施の形態を示す。なお、前記実施の形態と同一構成および作用効果は、同一符号を用いてその説明を省略する。
【００７２】
覆い体12は、複数に分割された透明部材28、複数に分割された表示体30、および複数に分割されたベース体27としてのベース板60を備えている。
【００７３】
透明部材28は、扉体16の窓板19およびその下部の領域を覆う透明部材28f、操作部20の領域を覆う透明部材28g、および扉体16の下部領域を覆う透明部材28hに分割形成されている。
【００７４】
表示体30は、透明部材28f，28g，28hと同形状で、表示体30f，30g，30hに分割形成されている。
【００７５】
ベース板60は、例えば板金に塗装を施したもので、透明部材28f，28g，28hおよび表示体30f，30g，30hと略同様の形状に分割形成されており、扉体16の前面の窓板19および各操作領域23の位置に対応して操作用開口部61が形成されている。なお、透明部材28fおよび表示体30fに対応する部分は、さらに複数に分割されており、窓板19の下側の電照用スペース56に対応して電照用開口部62が形成され、この電照用開口部62に乳白色の電照板63が配置されている。
【００７６】
図１０に覆い体12の組立構造を示し、各ベース板60の背面にはボルト64が突設され、このボルト64が扉体16の前面から挿入され、扉体16の内側からボルト64にナット65が螺合されることにより、扉体16にベース板60が固定されている。各ベース板60の前面にもボルト66が突設され、このボルト66に表示体30および透明部材28が挿通されるとともに化粧ナット67が螺合され、ベース板60と透明部材28との間に表示体30を挟み込んで共締め固定されている。また、ベース板60にボルト66を突設させることで、表示体30や透明部材28を仮保持することができる。表示体30や透明部材28を仮保持しておき、その後に化粧ナット67で固定できるため、表示体30の交換作業が手間取らず容易に行うことができる。また、化粧ナット67は、一般的な工具ではなく、特定の工具でのみ操作可能な特殊ナットを用いるのが好ましいが、一般的なナットを使用してもよい。
【００７７】
そして、表示体30を交換する場合には、交換する表示体30f，30g，30hを覆う透明部材28f，28g，28hを止めている化粧ナット67を外し、透明部材28f，28g，28hとともに今まで配置されていた表示体30f，30g，30hを外し、新たに配置する表示体30f，30g，30hおよび透明部材28f，28g，28hをボルト66に挿通し、化粧ナット67で透明部材28f，28g，28hを扉体16の前面に取り付ける。
【００７８】
このよう構成された自動販売機10では、覆い体12の透明部材28を扉体16の前面に着脱可能とすることにより、表示体30の交換作業を容易にできる。
【００７９】
この実施の形態の自動販売機10においても、例えばアクリル板で構成される透明部材28で窓板19や各操作領域23の部分を除く扉体16の前面が全体的に覆われ、この透明部材28と扉体16の前面との間に表示体30が配置されるため、透明部材28によって表示体30の表示に扉体16の前面や光沢感、高級感が演出され、高い表示品質を得ることができる。
【００８０】
また、夜間などの周囲が暗い場合に商品見本展示部18の電照装置によって商品見本を照明する際に、電照用スペース56から電照板63に入射する光で表示体30fを照明することができる。
【００８１】
また、扉体16の前面の各領域に対応して透明部材28を複数に分割しているため、着脱する透明部材28の大きさが小さく、表示体30の交換に必要な透明部材28のみを着脱すればよく、１人でも表示体30の交換作業を容易にできる。
【００８２】
なお、透明部材28と扉体16との間に、防水およびがたつき防止のためのパッキングを介在してもよい。
【００８３】
次に、図１１ないし図１３に第５の実施の形態を示す。なお、前記実施の形態と同一構成および作用効果は、同一符号を用いてその説明を省略する。
【００８４】
図１３(a)(b)には、選択ボタン55の数が異なる機種の自動販売機10を示すが、選択ボタン55の数のみを機種毎に変更することで、商品見本展示部18および窓板19の寸法形状を変更することなく自動販売機10を共通化することが考えられる。
【００８５】
この場合、図１３(b)の自動販売機10のように、図１３(a)の自動販売機10に対して選択ボタン55の数を少ない機種では、商品見本展示部18および窓板19に商品見本および選択ボタン55を配置しない未使用領域69が発生する。
【００８６】
そこで、覆い体12によって表示体30を未使用領域69の前面に配置することにより、未使用領域69を隠蔽するとともに表示体30による表示領域を拡大することができる。覆い体12の透明部材28には、窓板19の未使用領域69の前面を覆って表示体30を配置する窓板覆い部70が形成されている。なお、窓板覆い部70の背面には、表示体30を介して電照板63が配置される。
【００８７】
また、未使用領域69に選択ボタン55を配置しないことで、窓板19に選択ボタン55を取り付けるための選択ボタン用孔71（図１１参照）が開口してしまい、この選択ボタン用孔71から雨水などが扉体16の内側に浸入するおそれがある。
【００８８】
そこで、図１１および図１２に示すように、選択ボタン55が取り付けられない選択ボタン用孔71には、この選択ボタン用孔71を閉塞するためのキャップ72が取り付けられる。このキャップ72は、透明樹脂材料によって形成されており、選択ボタン用孔71より大きい形状で窓板19の前面側に配置される平板状の覆い部73、およびこの覆い部73の背面から突出されていて選択ボタン用孔71に挿入される筒状の挿入部74を備えている。キャップ72の覆い部73と窓板19との間には、例えば乳白のシリコン系樹脂で環状に形成されたパッキング75が介在される。
【００８９】
図１１に示すように、窓板19の後方には、電照装置の一部を構成する光源としてのＬＥＤ76が配置されているとともにこのＬＥＤ76が発生する光を拡散するための拡散カバー77が配置されている。
【００９０】
そして、ＬＥＤ76が発生した光が拡散カバー77で拡散されて窓板19の背面側に照射される。その光の一部がキャップ72およびパッキング75に入射しても、これらキャップ72およびパッキング75を光が透過するため、覆い体12によって窓板19の前面側に配置される表示体30にキャップ72およびパッキング75の影が映るのを防止でき、表示体30を均一に照明できる。さらに、電照板63があることで、キャップ72やパッキング75の影が映るのをより防止できる。
【００９１】
このように、覆い体12の透明部材28が、窓板19のうちの未使用領域69の前面との間に表示体30を配置する窓板覆い部70を有することにより、商品見本展示部18および窓板19の未使用領域69を表示体30で覆うことができるため、商品見本の展示領域18aを変更する場合でも、商品見本展示部18および窓板19に共通の部品を使用することができ、扉体構造の共通化を図ることができる。
【００９２】
さらに、未使用領域69の選択ボタン用孔71に、この選択ボタン用孔71を閉塞するキャップ72を取り付けることにより、未使用領域69の選択ボタン55を排除できるとともに、選択ボタン用孔71から窓板19の内側に雨水などが侵入するのを防止できる。しかも、キャップ72を透明材料で形成することにより、商品見本展示部18内の電照装置によって照明する場合にキャップ72を光が透過し、キャップ72の影が表示体30に映るのを防止できる。
【００９３】
なお、第５の実施の形態のように、選択ボタン55の数のみを機種毎に変更することで、商品見本展示部18および窓板19の寸法形状を変更することなく自動販売機10を共通化することは、上述した第１ないし第４の各実施の形態にも同様に適用でき、同様の作用効果が得られる。
【００９４】
また、選択ボタン用孔71およびキャップ72の形状は、円形に限らず、選択ボタン55の種類に対応して形成され、例えば横長の長円に形成される場合もある。
【００９５】
次に、図１４ないし図１７に第６の実施の形態を示す。なお、前記実施の形態と同一構成および作用効果は、同一符号を用いてその説明を省略する。
【００９６】
図１４に示すように、扉体16は、窓板19を備えず、商品見本展示部18の商品見本の展示領域18aの上下に電照用スペース56が開口形成されている。各電照用スペース56の上下縁部の中央には、扉体16の背面側から扉体16の前面側と覆い体12との間に表示体30を着脱するための着脱用開口部80が形成されている。
【００９７】
また、覆い体12は、窓板19の代わりとしても用いられる複数２分割された透明部材28、これら透明部材28を扉体16の前面に取り付ける取付部材81，82、複数に分割された表示体30、および透明部材28と扉体16の前面との間に介在される防水部材83を備えている。
【００９８】
透明部材28は、上下の電照用スペース56を含む扉体16の前面上部領域を覆う透明部材28i、および扉体16の前面下部領域を覆う透明部材28jに分割形成されている。透明部材28iには、複数の選択ボタン55が取り付けられているとともに、操作部20を構成する部品が取り付けられている。
【００９９】
取付部材81は、透明部材28iの上辺および左右辺に対応して分割されており、それぞれ断面略Ｌ字形に形成されている。図１６に示すように、取付部材81の内面側から突設されたボルト84を扉体16の側面から挿入し、扉体16の内側からボルト84にナット85を螺合して締め付け固定することにより、取付部材81の前面部分と扉体16の前面との間に透明部材28iおよび防水部材83を挟み込んで取り付けている。
【０１００】
図１４および図１５に示すように、取付部材82は、透明部材28jの下辺および左右辺に対応して分割されており、それぞれ断面略Ｌ字形に形成されている。図１７に示すように、ねじ86を取付部材82の挿通孔82A、透明部材28jの挿通孔28Aおよび表示体30jの挿通孔30Aを通じて扉体16の内側に取り付けられているナット87に螺合することにより、取付部材82の前面部分と扉体16の前面との間に透明部材28jを挟み込んで取り付けている。
【０１０１】
表示体30は、扉体16の上下の電照用スペース56の前面側に配置される上下の表示体30i，30jを備えている。これら表示体30i，30jは、表示体30i，30jの中間部を湾曲させて両側部を着脱用開口部80から扉体16の前面と透明部材28iとの間に差し込むことにより装着でき、または、表示体30i，30jの中間部を着脱開口部80から背面側へ引き出すことにより表示体30i，30jの両端部が扉体16の前面と透明部材28iとの間から外れて取り外すことができる。
【０１０２】
防水部材83は、扉体16の前面に配置され、各表示体30i，30jの周辺部に接触する例えば環状のパッキングで構成されている。
【０１０３】
そして、表示体30を交換する場合には、扉体16を開き、扉体16の背面側から着脱用開口部80を通じて表示体30i，30jを引き出して外し、新たに配置する表示体30i，30jを着脱用開口部80から扉体16の前面と透明部材28iとの間に装着し、扉体16を閉じる。
【０１０４】
このよう構成された自動販売機10では、扉体16の着脱用開口部80により、扉体16の前面と覆い体12の透明部材28との間に表示体30を容易に着脱可能にできる。この場合、透明部材28を外さなくてもよいため、１人でも表示体30の交換作業を容易にできる。
【０１０５】
この実施の形態の自動販売機10においても、例えばアクリル板で構成される透明部材28で扉体16の前面が全体的に覆われ、この透明部材28と扉体16の前面との間に表示体30が配置されるため、透明部材28によって扉体16の前面や表示体30の表示に光沢感、高級感が演出され、高い表示品質を得ることができる。
【０１０６】
特に、扉体16の前面下部以外の部分を覆う表示体30iが分割されておらず、表示体30iに合わせ面がないため、より高級感が演出され、高い表示品質を得ることができる。
【０１０７】
また、夜間などの周囲が暗い場合に商品見本展示部18の電照装置によって商品見本を照明する際に、電照用スペース56から入射する光で表示体30を照明することができる。
【０１０８】
扉体16と覆い体12との間に防水部材83を介在することにより、扉体16内に雨水などが侵入するのを防止できる。
【０１０９】
なお、表示体30i，30jを一体に形成し、１枚の表示体30で構成してもよい。
【符号の説明】
【０１１０】
10    自動販売機
12    覆い体
14    自動販売機本体
16    扉体
18    商品見本展示部
19    窓板
28    透明部材
30    表示体
46    支軸
48    施錠機構
55    選択ボタン
69    未使用領域
70    窓板覆い部
71    選択ボタン用孔
72    キャップ
80    着脱用開口部
83    防水部材
【図１】
2014081802.tif 000003
【図２】
2014081802.tif 000004
【図３】
2014081802.tif 000005
【図４】
2014081802.tif 000006
【図５】
2014081802.tif 000007
【図６】
2014081802.tif 000008
【図７】
2014081802.tif 000009
【図８】
2014081802.tif 000010
【図９】
2014081802.tif 000011
【図１０】
2014081802.tif 000012
【図１１】
2014081802.tif 000013
【図１２】
2014081802.tif 000014
【図１３】
2014081802.tif 000015
【図１４】
2014081802.tif 000016
【図１５】
2014081802.tif 000017
【図１６】
2014081802.tif 000018
【図１７】
2014081802.tif 000019